(57)【要約】【課題】より高い利便性を有する電子機器、電子機器の制御方法、及び電子機器のプログラムを提供する。【解決手段】一実施形態に係る電子機器は、放送信号を受信する受信部と、前記放送信号内のチャンネル情報に基づいてチャンネルリストを生成するチャンネルリスト生成部と、入力に応じて前記チャンネルリストを編集するチャンネルリスト編集部と、前記チャンネルリスト編集部により前記チャンネルリストが編集されている場合、編集された前記チャンネルリストに前記チャンネル情報に基づいてチャンネルを追加し、前記チャンネルリスト編集部により前記チャンネルリストが編集されていない場合、前記チャンネル情報に基づいて新たなチャンネルリストを生成するチャンネルリスト更新部と、を具備する。【選択図】      図４
2014232920.tif 000002
【特許請求の範囲】
【請求項１】
放送信号を受信する受信部と、
前記放送信号内のチャンネル情報に基づいてチャンネルリストを生成するチャンネルリスト生成部と、
入力に応じて前記チャンネルリストを編集するチャンネルリスト編集部と、
前記チャンネルリスト編集部により前記チャンネルリストが編集されている場合、編集された前記チャンネルリストに前記チャンネル情報に基づいてチャンネルを追加し、前記チャンネルリスト編集部により前記チャンネルリストが編集されていない場合、前記チャンネル情報に基づいて新たなチャンネルリストを生成するチャンネルリスト更新部と、
を具備する電子機器。
【請求項２】
前記チャンネルリスト更新部は、前記チャンネルリスト編集部により前記チャンネルリストが編集されている場合、編集された前記チャンネルリストの最後部に新たなチャンネルを追加する請求項１に記載の電子機器。
【請求項３】
前記チャンネルリストは、チャンネル番号とチャンネルとが対応付けられたリストであり、
前記チャンネルリスト更新部は、前記チャンネルリスト編集部により前記チャンネルリストの前記チャンネル番号が編集されている場合、編集された前記チャンネルリストに前記チャンネル情報に基づいて新たなチャンネルを追加する請求項１に記載の電子機器。
【請求項４】
前記チャンネルリスト更新部により更新された前記チャンネルリストの中に既に前記放送信号に含まれていないチャンネルが存在する場合、チャンネルが存在しないことを示す情報を報知する報知部をさらに具備する請求項１に記載の電子機器。
【請求項５】
前記チャンネルリスト更新部は、前記報知部がチャンネルが存在しないことを示す情報を報知した場合、前記チャンネルリストから前記放送信号に含まれていないチャンネルを削除する請求項４に記載の電子機器。
【請求項６】
放送信号を受信する受信部を備えた電子機器の制御方法であって、
前記放送信号内のチャンネル情報に基づいてチャンネルリストを生成し、
入力に応じて前記チャンネルリストを編集し、
前記チャンネルリストが編集されている場合、編集された前記チャンネルリストに前記チャンネル情報に基づいてチャンネルを追加し、前記チャンネルリストが編集されていない場合、前記チャンネル情報に基づいて新たなチャンネルリストを生成する、
電子機器の制御方法。
【請求項７】
放送信号を受信する受信部を備えた電子機器において実行されるプログラムであって、前記電子機器を、
前記放送信号内のチャンネル情報に基づいてチャンネルリストを生成するチャンネルリスト生成部と、
入力に応じて前記チャンネルリストを編集するチャンネルリスト編集部と、
前記チャンネルリスト編集部により前記チャンネルリストが編集されている場合、編集された前記チャンネルリストに前記チャンネル情報に基づいてチャンネルを追加し、前記チャンネルリスト編集部により前記チャンネルリストが編集されていない場合、前記チャンネル情報に基づいて新たなチャンネルリストを生成するチャンネルリスト更新部と、
して動作させるプログラム。
【発明の詳細な説明】
【技術分野】
【０００１】
本発明の実施形態は、電子機器、電子機器の制御方法、及び電子機器のプログラム
に関する。
【背景技術】
【０００２】
従来、放送信号を受信し、受信した放送信号に含まれている番組などの映像コンテンツを再生することができる例えば放送受信装置などの電子機器が一般的に普及している。電子機器は、選局が可能なチャンネルを示すチャンネルリストを保持している。電子機器は、放送信号に含まれているチャンネルを示すチャンネル情報に基づいてチャンネルリストを生成することができる。また、電子機器は、入力に応じてチャンネルリストを編集することができる。これにより、電子機器は、チャンネルリストに表示させるチャンネルを編集することができる。
【先行技術文献】
【特許文献】
【０００３】
【特許文献１】特開２００５−１１７３３４号公報
【発明の概要】
【発明が解決しようとする課題】
【０００４】
放送信号に含まれているチャンネルが更新された場合、放送信号中のチャンネル情報が更新される。さらに、チャンネルリストの更新が放送信号により要求される。この場合、電子機器は、更新されたチャンネル情報に基づいてチャンネルリストを更新する。しかし、上記したような電子機器では、編集されたチャンネルリストが更新されてしまうという課題がある。
【０００５】
本発明の一形態の目的は、より高い利便性を有する電子機器、電子機器の制御方法、及び電子機器のプログラムを提供することである。
【課題を解決するための手段】
【０００６】
一実施形態に係る電子機器は、放送信号を受信する受信部と、前記放送信号内のチャンネル情報に基づいてチャンネルリストを生成するチャンネルリスト生成部と、入力に応じて前記チャンネルリストを編集するチャンネルリスト編集部と、前記チャンネルリスト編集部により前記チャンネルリストが編集されている場合、編集された前記チャンネルリストに前記チャンネル情報に基づいてチャンネルを追加し、前記チャンネルリスト編集部により前記チャンネルリストが編集されていない場合、前記チャンネル情報に基づいて新たなチャンネルリストを生成するチャンネルリスト更新部と、を具備する。
【図面の簡単な説明】
【０００７】
【図１】図１は、一実施形態に係る電子機器について説明する為の図である。
【図２】図２は、一実施形態に係る電子機器について説明する為の図である。
【図３】図３は、一実施形態に係る電子機器について説明する為の図である。
【図４】図４は、一実施形態に係る電子機器について説明する為の図である。
【図５】図５は、一実施形態に係る電子機器について説明する為の図である。
【図６】図６は、一実施形態に係る電子機器について説明する為の図である。
【図７】図７は、一実施形態に係る電子機器について説明する為の図である。
【発明を実施するための形態】
【０００８】
以下、図を参照しながら、一実施形態に係る電子機器、電子機器の制御方法、及び電子機器のプログラムについて詳細に説明する。
【０００９】
図１は、一実施形態に係る放送受信装置１００の例を示す。  
放送受信装置１００は、例えば、放送信号、または記憶媒体に記憶されている映像コンテンツなどを再生することができる電子機器である。放送受信装置１００は、例えば、テレビ、レコーダ、チューナを備えたＰＣ、チューナを備えた携帯電話などの携帯電話端末などの電子機器である。放送受信装置１００は、無線通信のアクセスポイントとして機能する無線通信端末を介してネットワークに接続することができる。
【００１０】
放送受信装置１００は、放送信号入力端子１１０、チューナ１１１、復調部１１２、信号処理部１１３、音声処理部１２１、映像処理部１３１、ＯＳＤ処理部１３２、表示処理部１３３、制御部１５０、操作入力部１６１、受光部１６２、通信部１７１、及びストレージ１７２を備える。また、放送受信装置１００は、さらにスピーカ１２２及びディスプレイ１３４を備える。
【００１１】
放送信号入力端子１１０は、例えばアンテナ１０３により受信されたディジタル放送信号を受け取ることができる。アンテナ１０３は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。放送信号入力端子１１０は、上記したディジタル放送信号により供給される番組などのコンテンツのデータを受け取ることができる。
【００１２】
放送信号入力端子１１０は、受信したディジタル放送信号をチューナ１１１に供給する。チューナ１１１は、ディジタル放送信号用のチューナである。チューナ１１１は、チューニングしたディジタル放送信号を復調部１１２に送信する。
【００１３】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０３、チューナ１１１、及び復調部１１２は、コンテンツデータを受信する受信部として機能する。
【００１４】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００１５】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００１６】
映像処理部１３１は、信号処理部１１３から受信したディジタル映像信号を、ディスプレイ１３４で再生可能なフォーマットの映像信号（表示用映像信号）に変換する。映像処理部１３１は、信号処理部１１３から供給されたディジタル映像信号に基づいて表示用映像信号を生成するレンダリングを行う。映像処理部１３１は、信号処理部１１３から供給されたディジタル映像信号に対して種々の演算処理を行うことにより、レンダリングを行う。映像処理部１３１は、レンダリングされた表示用映像信号を表示処理部１３３に出力する。
【００１７】
ＯＳＤ処理部１３２は、制御部１５０から供給されたコマンドに応じて、メニュー画面、チャンネルリスト、電子番組表（ＥＰＧ）、Ｗｅｂ閲覧用のブラウザ、種々のアプリのウィンドウ、またはメニューなどの他の種々の情報をディスプレイ１３４に表示させる為の表示用映像信号を生成する。ＯＳＤ処理部１３２は、生成した表示用映像信号を映像処理部１３１から出力された表示用映像信号に重畳させる。
【００１８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した表示用映像信号をディスプレイ１３４に供給する。ディスプレイ１３４は、供給される表示用映像信号に基づいて映像を表示する。
【００１９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される表示用映像信号に基づいて映像を表示する。
【００２０】
制御部１５０は、放送受信装置１００の各部の動作を制御する制御部として機能する。制御部１５０は、ＣＰＵ１５１、ＲＯＭ１５２、ＲＡＭ１５３、及び不揮発性メモリ１５４などを備えている。制御部１５０は、操作入力部１６１または受光部１６２から供給される操作信号に基づいて、種々の処理を行う。
【００２１】
ＣＰＵ１５１は、種々の演算処理を実行する演算素子などを備える。ＣＰＵ１５１は、ＲＯＭ１５２、または不揮発性メモリ１５４などに記憶されているプログラムを実行することにより種々の機能を実現する。
【００２２】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２４】
不揮発性メモリ１５４は、各種の設定情報、及びプログラムなどを記憶する不揮発性メモリである。
【００２５】
制御部１５０は、操作入力に応じて、放送信号を選局する。即ち、制御部１５０は、操作入力に応じて、放送受信装置１００により表示する番組（または番組を提供するチャンネル）を選択する。
【００２６】
また、制御部１５０は、ディスプレイ１３４に種々のユーザインターフェースを表示させる為のコマンドを生成する。制御部１５０は、生成したコマンドをＯＳＤ処理部１３２に供給する。これにより、制御部１５０は、映像に重畳させるユーザインターフェースをＯＳＤ処理部１３２に生成させることができる。
【００２７】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。なお、タッチパッドは、静電容量式センサ、または他の方式に基づいて位置情報を生成するデバイスを含む。
【００２８】
受光部１６２は、例えば、リモートコントローラ１６３からの赤外線を受光する受光レンズと、受光した光を電気信号に変換するフォトダイオードなどのセンサとを備える。受光部１６２は、受信した赤外線から元の操作信号を生成し、操作信号を制御部１５０に供給する。
【００２９】
リモートコントローラ１６３は、ユーザの操作入力に基づいて操作信号を生成する。リモートコントローラ１６３は、生成した操作信号を赤外線に変換し、赤外線を出力する。これにより、リモートコントローラ１６３は、受光部１６２に赤外線を送信する。
【００３０】
通信部１７１は、ＬＡＮまたは無線ＬＡＮにより無線通信端末経由でインターネット、またはホームネットワークなどのネットワーク上の他の機器と通信を行なうことができる。これにより、放送受信装置１００は、無線通信端末に接続されている他の機器と通信することができる。
【００３１】
ストレージ１７２は、ハードディスクドライブ（ＨＤＤ）、ソリッドステイトドライブ（ＳＳＤ）、または他の記憶装置を備える。制御部１５０は、信号処理部１１３により処理されたトランスポートストリームをストレージ１７２に記憶させることができる。また、制御部１５０は、トランスポートストリームを他の形式のデータにエンコードすることができる。制御部１５０は、エンコードされたデータをストレージ１７２に記憶させる構成であってもよい。これにより、放送受信装置１００は、放送信号、またはネットワークなどを介して供給されたコンテンツをストレージ１７２に録画することができる。
【００３２】
なお、放送受信装置１００は、複数組のチューナ１１１及び復調部１１２を備える構成であってもよい。放送受信装置１００は、チューナ１１１及び復調部１１２を複数組備えている場合、放送信号から複数の周波数の信号を取得することができる。これにより、放送受信装置１００は、複数のチャンネルのトランスポートストリームを同時に取得することができる。これにより、放送受信装置１００は、複数のチャンネルのトランスポートストリーム、またはトランスポートストリームがエンコードされたデータを同時にストレージ１７２に録画することが出来る。
【００３３】
また、通信部１７１は、キーボード、マウス、マイク、ヘッドセットまたは他の入力装置などから信号を受け取る構成であってもよい。例えば、放送受信装置１００がＵＳＢ端子、またはＢｌｕｅｔｏｏｔｈ（登録商標）のモジュールなどを備えている場合、通信部１７１は、ＵＳＢ、またはＢｌｕｅｔｏｏｔｈにより接続された入力装置から信号を受け取り、制御部１５０に供給する。
【００３４】
また、ストレージ１７２、ＲＯＭ１５２、または不揮発性メモリ１５４は、種々の処理を実行可能なアプリケーションを記憶している。例えば、ストレージ１７２または不揮発性メモリ１５４は、放送信号中のチャンネルのリストであるチャンネルリストを生成し、ディスプレイ１３４に表示させるアプリケーションを記憶している。即ち、制御部１５０のＣＰＵ１５１は、ストレージ１７２、ＲＯＭ１５２、または不揮発性メモリ１５４などに記憶されているプログラムを実行することにより、チャンネルリスト生成部、チャンネルリスト編集部、及びチャンネルリスト更新部として機能する。なお、チャンネルリストは、チャンネル番号とチャンネルとが対応付けられたリストである。
【００３５】
チャンネルリスト生成部は、放送信号内のチャンネル情報に基づいてチャンネルリストを生成する。チャンネルリスト編集部は、入力に応じてチャンネルリストを編集する。チャンネルリスト更新部は、チャンネルリスト編集部によりチャンネルリストが編集されている場合、編集されたチャンネルリストにチャンネル情報に基づいてチャンネルを追加し、チャンネルリスト編集部によりチャンネルリストが編集されていない場合、チャンネル情報に基づいて新たなチャンネルリストを生成する。
【００３６】
例えば、制御部１５０は、放送信号から放送信号内のチャンネルを示すチャンネル情報を取得することができる。ストレージ１７２または不揮発性メモリ１５４は、放送信号から取得したチャンネル情報を格納することができる。なお、チャンネル情報は、放送信号に含まれている各チャンネル内の各番組の番組情報（メタデータ）などを含んでいてもよい。
【００３７】
番組情報は、放送局を示す情報、放送時間を示す情報、番組のジャンルを示す情報、番組の概要を示す情報（番組概要）、及び番組の詳細を示す情報（番組詳細情報）などを含む。
【００３８】
制御部１５０は、記憶されているチャンネル情報を解析することにより、放送信号に含まれているチャンネルの一覧を認識することができる。制御部１５０は、チャンネル情報に基づいて、チャンネルリストを生成することができる。
【００３９】
さらに、制御部１５０は、記憶されている番組情報を解析することにより、各チャンネルごとの番組の一覧を認識することができる。制御部１５０は、番組情報に基づいて、ＷＰＧを生成することができる。
【００４０】
ストレージ１７２または不揮発性メモリ１５４は、生成されたチャンネルリスト及びＥＰＧを記憶することができる。制御部１５０及びＯＳＤ処理部１３２は、ストレージ１７２または不揮発性メモリ１５４に記憶されたチャンネルリスト及びＥＰＧを操作入力に応じてディスプレイ１３４に表示させることができる。
【００４１】
図２は、チャンネルリスト２０１の例を示す。チャンネルリスト２０１は、ＧＵＩ（Ｇｒａｐｈｉｃａｌ  Ｕｓｅｒ  Ｉｎｔｅｒｆａｃｅ）の一種である。制御部１５０は、ＯＳＤ処理部１３２にＧＵＩの種々の画面をレンダリングさせることができる。
【００４２】
なお、ＧＵＩは、チャンネルリスト、電子番組表、番組情報表示、及び各種メニューなどのディスプレイ１３４上にグラフィカルに表示されるものを含む。制御部１５０は、ＧＵＩをディスプレイ１３４に表示させるようにＯＳＤ処理部１３２を制御することにより、種々の情報をユーザに知らせることができる。
【００４３】
チャンネルリスト２０１は、チャンネル番号とチャンネルとが対応付けられた選択メニュー２０２（例えば選択メニュー２０２Ａ乃至２０２Ｊ）を複数備える。チャンネルリスト２０１上の選択メニュー２０２が選択された場合、制御部１５０は、選択された選択メニュー２０２に応じたチャンネルを選局するようにチューナ１１１を制御する。
【００４４】
図３は、チャンネルリスト２０１に表示させるチャンネルを編集する為の編集画面３０１の例を示す。
【００４５】
編集画面３０１は、チャンネルリスト２０１と同様にチャンネル番号とチャンネルとが対応付けられた選択メニューを複数備える。さらに、編集画面３０１の各選択メニューはそれぞれ、チェックボックス３０２（例えばチェックボックス３０２Ａ乃至３０２Ｊ）と、チャンネル番号ボックス３０３（チャンネル番号ボックス３０３Ａ乃至３０３Ｊ）とを備える。
【００４６】
チェックボックス３０２は、チャンネルリスト２０１へのチャンネルの表示状態を示すものである。例えば、チェックボックス３０２にチェックが表示されていた場合、制御部１５０は、このチェックボックス３０２を含む選択メニューに対応したチャンネルをチャンネルリスト２０１に表示させる。また、例えば、チェックボックス３０２にチェックが表示されていない場合、制御部１５０は、このチェックボックス３０２を含む選択メニューに対応したチャンネルをチャンネルリスト２０１に表示させない。
【００４７】
編集画面３０１上の選択メニュー内のチェックボックス３０２が選択された場合、制御部１５０は、選択されたチェックボックス３０２のチェックの表示と非表示とを切り替える。即ち、制御部１５０は、編集画面３０１上のチェックボックス３０２の選択に応じて、チャンネルリスト２０１にチャンネルを表示させる状態と表示させない状態とを切り替えることができる。
【００４８】
図３の例では、「チャンネル８」の「ＣＢｅｅｂｉｅｓ」と「チャンネル９」の「Ｆｉｖｅ  Ｌｉｆｅ」とがチェックボックスのチェックが外されている。この場合、制御部１５０は、チャンネルリスト２０１に「チャンネル８」の「ＣＢｅｅｂｉｅｓ」及び「チャンネル９」の「Ｆｉｖｅ  Ｌｉｆｅ」を表示させない。
【００４９】
なお、制御部１５０は、チャンネル情報により示された全てのチャンネルをチャンネルリスト２０１に表示させるようにデフォルトで設定されている。即ち、デフォルトでは、編集画面３０１の全ての選択メニュー内のチェックボックス３０２にチェックが表示された状態となっている。
【００５０】
チャンネル番号ボックス３０３は、各チャンネルを選局する為のチャンネル番号を編集する為のメニューである。編集画面３０１上の選択メニュー内のチャンネル番号ボックス３０３が選択された場合、制御部１５０は、選択されたチャンネル番号ボックス３０３に表示させるチャンネル番号の変更を受け付ける。例えば、ここでリモートコントローラ１６３の数字キーが選択された場合、制御部１５０は、選択された数字キーに応じた番号をチャンネル番号として設定する。
【００５１】
例えば、制御部１５０は、編集画面３０１によりチャンネルリスト２０１に表示させるチャンネル、及びチャンネル番号などが編集された場合、チャンネルリスト２０１が編集されたことを示す情報（編集済みフラグ）をストレージ１７２または不揮発性メモリ１５４内の所定の領域に格納する。制御部１５０は、所定の記憶領域に格納された編集済みフラグにより、チャンネルリスト２０１がユーザにより編集されたものであるのか否かを判断することができる。
【００５２】
図４は、制御部１５０の処理の例を示す。  
制御部１５０は、放送信号を受け取った場合、所定間隔で放送信号に含まれているチャンネル情報を解析する（ステップＳ１１）。これにより、制御部１５０は、所定間隔で放送信号に含まれているチャンネル情報が更新されたか否か判断する（ステップＳ１２）。
【００５３】
上記したように、制御部１５０は、チャンネル情報をストレージ１７２または不揮発性メモリ１５４に格納する。制御部１５０は、格納されているチャンネル情報と、放送信号に含まれているチャンネル情報とを比較することにより、チャンネル情報が更新されたか否か判断することができる。さらに、チャンネル情報が更新されていた場合、制御部１５０は、比較を行うことにより、更新されたチャンネルを認識することができる。即ち、制御部１５０は、追加されたチャンネル及び削除されたチャンネルを認識することができる。
【００５４】
放送信号は、例えば、ネットワークインフォメーションテーブル（ＮＩＴ）及びサービスデスクリプションテーブル（ＳＤＴ）などをチャンネル情報として備えている。このようなチャンネル情報には、サービス（チャンネル番号及びチャンネル名称）の一覧を示す情報が含まれている。制御部１５０は、例えばＮＩＴ及びＳＤＴをストレージ１７２または不揮発性メモリ１５４に格納する。制御部１５０は、格納されているＮＩＴ及びＳＤＴと、放送信号に含まれているＮＩＴ及びＳＤＴとを比較し、一致しない場合、チャンネル情報が更新されたと判断する。
【００５５】
制御部１５０は、チャンネル情報が更新されたと判断した場合、リスキャンを行う（ステップＳ１３）。これにより、制御部１５０は、更新された後のチャンネル情報に基づいてサービスの一覧を認識することができる。即ち、制御部１５０は、更新後のチャンネル情報が示すチャンネルの一覧を認識することができる。
【００５６】
さらに、制御部１５０は、ストレージ１７２または不揮発性メモリ１５４に格納されているチャンネルリスト２０１が、ユーザにより編集されたものであるか否か判断する（ステップＳ１４）。即ち、制御部１５０は、編集済みフラグがストレージ１７２または不揮発性メモリ１５４内の所定の領域に格納されているか否か判断する。制御部１５０は、編集済みフラグがストレージ１７２または不揮発性メモリ１５４内の所定の領域に格納されている場合、チャンネルリスト２０１がユーザにより編集されたものであると判断する。
【００５７】
チャンネルリスト２０１がユーザにより編集されたものではないと判断した場合、制御部１５０は、放送信号内のチャンネル情報に基づいて、チャンネルリストを更新する（ステップＳ１５）。即ち、制御部１５０は、放送信号内のチャンネル情報に基づいて新たにチャンネルリストを生成し、生成したチャンネルリストを既存のチャンネルリストに上書きする。これにより、制御部１５０は、チャンネル情報の更新を反映させたチャンネルリストを生成することができる。
【００５８】
例えば、チャンネルリストが図２に示されているように未編集である場合、制御部１５０は、図５に示されたように、追加されたチャンネル及び削除されたチャンネルを反映させたチャンネルリストを生成することができる。ここでは、図２の「チャンネル６」の「ＢＢＣ  ＮＥＷＳ  ２４」が削除され、「チャンネル６」に「ＳＰＯＲＴＳ  ＮＥＷＳ」が追加されている。またさらに、制御部１５０は、チャンネル情報の更新により追記された「チャンネル６」の「ＳＰＯＲＴＳ  ＮＥＷＳ」に、新たに追加されたチャンネルであることを示す情報（例えばアイコン２０５または色などで区別された表示）をチャンネルリスト上に表示させてもよい。これにより、放送受信装置１００は、追加されたチャンネルを用意にユーザに認識させることができる。
【００５９】
なお、チャンネル情報内でチャンネルごとのチャンネル番号を指定する為のロジカルチャンネルナンバー（ＬＣＮ）が更新されていた場合、チャンネル番号順にチャンネルリスト内のチャンネルを並び替える。
【００６０】
また、チャンネルリスト２０１がユーザにより編集されたものであると判断した場合、制御部１５０は、放送信号内のチャンネル情報に基づいて、既存のチャンネルリストに新たなチャンネルを追記する（ステップＳ１６）。即ち、制御部１５０は、新旧のチャンネル情報を比較し、追加されたチャンネル及び削除されたチャンネルを認識する。制御部１５０は、追加されたチャンネルを既存のチャンネルリストに追記する。なお、制御部１５０は、追加されたチャンネルを既存のチャンネルリストの最下部（最後部）に追記する。これにより、制御部１５０は、チャンネルリストの編集内容を保持したまま、チャンネル情報の更新を反映させたチャンネルリストを生成することができる。
【００６１】
例えば、チャンネルリストが図３に示されているように編集されている場合、制御部１５０は、図６に示されたように、既存のチャンネルリストにチャンネル情報の更新に応じたチャンネルを追記することができる。ここでは、既存のチャンネルリストの最下部である「チャンネル１１」に「ＳＰＯＲＴＳ  ＮＥＷＳ」が追加されている。なお、チャンネル情報内でＬＣＮが更新されていた場合であっても、制御部１５０は、既存のチャンネルリスト内のチャンネル番号及びチャンネルの並び順を更新しない。これにより、制御部１５０は、ユーザが編集したチャンネルリストを保持することができる。
【００６２】
またさらに、制御部１５０は、チャンネル情報の更新により追記されたチャンネルに新たに追加されたチャンネルであることを示す情報（例えばアイコン２０５または色などで区別された表示）をチャンネルリスト上に表示させてもよい。これにより、放送受信装置１００は、追加されたチャンネルを用意にユーザに認識させることができる。
【００６３】
また、この場合は、更新されたチャンネル情報上では削除された「チャンネル６」の「ＢＢＣ  ＮＥＷＳ  ２４」がチャンネルリスト上に残っていてもよい。さらに、制御部１５０は、更新されたチャンネル情報上で削除されたチャンネルがチャンネルリスト上に存在している場合、チャンネルが終了していることを示す情報（例えばアイコン２０６または色などで区別された表示）をチャンネルリスト上に表示させてもよい。さらに、更新されたチャンネル情報上で削除されたチャンネルが操作入力により選択された場合、制御部１５０は、図７に示されるように選局が不可であることを示すアラート７０１をディスプレイ１３４に表示させてもよい。これにより、制御部１５０は、選局することができないチャンネルをユーザに認識させることができる。即ち、制御部１５０は、チャンネルリスト更新部により更新されたチャンネルリストの中に既に放送信号に含まれていないチャンネルが存在する場合、チャンネルが存在しないことを示す情報を報知する報知部として機能する。
【００６４】
またさらに制御部１５０は、選局することができないチャンネルが選局された場合、このチャンネルをチャンネルリストから削除するか否かをユーザに選択させる為のＹＥＳメニュー７０２及びＮＯメニュー７０３をアラート７０１内に表示させてもよい。これにより、放送受信装置１００は、チャンネルが選局不可になったことをユーザに認識させ、且つＹＥＳメニュー７０２及びＮＯメニュー７０３への操作に応じてチャンネルをチャンネルリストから削除することができる。
【００６５】
またさらに制御部１５０は、選局することができないチャンネルが選局された場合、図７に示すアラート７０１をディスプレイ１３４に表示させた後、このチャンネルをチャンネルリストから自動的に削除する構成であってもよい。
【００６６】
上記したように、放送受信装置１００は、チャンネルリストがユーザにより編集されていない場合にチャンネル情報に基づいてチャンネルリストを一括して更新し、チャンネルリストがユーザにより編集されている場合にチャンネル情報内の追加されたチャンネルをチャンネルリストの下部に追加する。これにより、放送受信装置１００は、ユーザが編集したチャンネルリストを保持したまま、追加されたチャンネルをチャンネルリストに加えることができる。またさらに、放送受信装置１００は、チャンネルリストが編集されていない場合、チャンネル情報に基づいてチャンネルリストを一括更新することにより、ユーザの手間を解消することができる。
【００６７】
この結果、より高い利便性を有する電子機器、電子機器の制御方法、及び電子機器のプログラムを提供することができる。
【００６８】
また、上記の実施形態では、放送受信装置１００は、チャンネルリストが編集されているか否かに基づいて、チャンネルリストを一括更新するか追加されたチャンネルをチャンネルリストに追記するかを切り替える構成であると説明したが、この構成に限定されない。放送受信装置１００は、予め入力により設定された設定に基づいて、チャンネルリストを一括更新するか追加されたチャンネルをチャンネルリストに追記するかを切り替える構成であってもよい。これにより、放送受信装置１００は、よりユーザの所望する動作を実行することができる。
【００６９】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７１】
１００…放送受信装置、１１３…信号処理部、１２１…音声処理部、１２２…スピーカ、１３１…映像処理部、１３２…ＯＳＤ処理部、１３３…表示処理部、１３４…ディスプレイ、１５０…制御部、１５１…ＣＰＵ、１５２…ＲＯＭ、１５３…ＲＡＭ、１５４…不揮発性メモリ、１６１…操作入力部、１６２…受光部、１６３…リモートコントローラ、１７１…通信部、１７２…ストレージ。
【図１】
2014232920.tif 000003
【図２】
2014232920.tif 000004
【図３】
2014232920.tif 000005
【図４】
2014232920.tif 000006
【図５】
2014232920.tif 000007
【図６】
2014232920.tif 000008
【図７】
2014232920.tif 000009